(57)【特許請求の範囲】
【請求項１】
エレベータのカウンターの昇降移動をガイドするために設けられるカウンターレールに固定されるカウンター保持部材であって、
前記カウンターの下面端部から突出して設けられるガイドシューが通過可能な切り欠き部が設けられ、前記カウンターレールの所望の位置にカウンターの移動軌跡内に侵入して取り外し可能に固定されて前記カウンターを支え、かつ、前記切り欠き部と前記カウンターレールとで形成される空間にガイドシューを収容して前記カウンターの移動を規制して保持するエレベータのカウンター保持部材。
【請求項２】
エレベータのカウンターを所望の位置で保持するカウンター保持装置であって、
前記カウンターの昇降移動をガイドするために設けられるガイドレールであって、その一部が他の部分より強度が高い強構造レール部で構成されるガイドレール部と、
前記カウンターの下面端部から突出して設けられるガイドシューが通過可能な切り欠き部が設けられ、前記強構造レール部の所望の位置にカウンターの移動軌跡内に侵入して取り外し可能に固定されて前記カウンターを支え、かつ、前記切り欠き部と前記強構造レール部とで形成される空間にカウンター下面端部から突出したガイドシューを収容して前記カウンターの移動を規制して保持するカウンター保持部材と、
を含むことを特徴とするエレベータのカウンター保持装置。
【請求項３】
エレベータのカウンターを所望の位置で保持するカウンター保持装置であって、
前記カウンターの昇降移動をガイドするために設けられるガイドレールを補強する補強レール部材と、
前記カウンターの下面端部から突出して設けられるガイドシューが通過可能な切り欠き部が設けられ、前記強構造レール部の所望の位置にカウンターの移動軌跡内に侵入して取り外し可能に固定されて前記カウンターを支え、かつ、前記切り欠き部と前記強構造レール部とで形成される空間にカウンター下面端部から突出したガイドシューを収容して前記カウンターの移動を規制して保持するカウンター保持部材と、
を含むことを特徴するエレベータのカウンター保持装置。
【発明の詳細な説明】
【０００１】
【発明の属する技術分野】
本発明は、エレベータのカウンター保持部材及びエレベータのカウンター保持装置に関する。
【０００２】
【従来の技術】
巻上機にロープを巻き掛け、一端にエレベータかごを、他端にカウンター（釣り合いおもり）をつけたロープ式エレベータ等において、カウンターをロープの吊り下げによらず、所望の位置で保持する場合がある。例えば、ロープの取り替え作業や、巻上機関連の工事等で、カウンターを所望の位置でしばしば保持する必要が生じる。
【０００３】
図６は、エレベータのカウンターの従来の保持作業の様子を示す図である。
【０００４】
図６に示すように、エレベータは、エレベータかご３０とカウンター３２、そしてこれらの昇降駆動を行う巻上機３４で構成されている。
【０００５】
エレベータかご３０上に作業者３６が配置され、エレベータかご３０は最上階付近まで上昇する。一方、別の作業者３８が、所望の長さの角材又はサポート４０をピット内へ持ち込み、かご上の作業者３６とピット内の作業者３８が、相互に確認しあいながら、エレベータかご３０の位置を低速で調整し、カウンター３２を角材又はサポート４０上に下降させる。
【０００６】
これにより、図６に示すように、カウンター３２は、角材又はサポート４０の高さで保持される。作業者３６、３８は、その後、ロープの取り替え作業等を行う。作業終了後、再びかご上及びピット内に作業者３６、３８が配置され、作業者３６、３８は、相互に確認しあいながら、エレベータかご３０の位置を低速で調整し、カウンター３２を角材又はサポート４０から離す。ピット内の作業者３８は、角材又はサポート４０をピット内から運び出し、所定の保管場所に戻す。
【０００７】
【発明が解決しようとする課題】
しかしながら、上述したような方法では、所望の位置でカウンターを保持するために、それに応じた長さの角材又はサポートを数種類揃えておく必要があるという不具合があった。
【０００８】
また、角材等が長い場合には、ピット内への持ち込み、設置、運び出し等に時間や数人の作業者を必要とするなど作業効率が悪いという問題があった。
【０００９】
そこで本発明は、上記課題を解決するためになされたもので、作業効率を向上させるエレベータのカウンター保持部材及びエレベータのカウンター保持装置を提供することを目的とする。
【００１０】
【課題を解決するための手段】
本発明のエレベータのカウンター保持部材は、エレベータのカウンターの昇降移動をガイドするために設けられるカウンターレールに固定されるカウンター保持部材であって、カウンターの下面端部から突出して設けられるガイドシューが通過可能な切り欠き部が設けられ、カウンターレールの所望の位置にカウンターの移動軌跡内に侵入して取り外し可能に固定されてカウンターを支え、かつ、切り欠き部と前記カウンターレールとで形成される空間にガイドシューを収容してカウンターの移動を規制して保持することを特徴とする。
【００１１】
また、本発明のエレベータのカウンター保持装置は、エレベータのカウンターを所望の位置で保持するカウンター保持装置であって、前記カウンターの昇降移動をガイドするために設けられるガイドレールであって、その一部が他の部分より強度が高い強構造レール部で構成されるガイドレール部と、前記カウンターの下面端部から突出して設けられるガイドシューが通過可能な切り欠き部が設けられ、前記強構造レール部の所望の位置にカウンターの移動軌跡内に侵入して取り外し可能に固定されて前記カウンターを支え、かつ、前記切り欠き部と前記強構造レール部とで形成される空間にカウンター下面端部から突出したガイドシューを収容して前記カウンターの移動を規制して保持するカウンター保持部材と、を含むことを特徴とする。
【００１２】
さらに、本発明のエレベータのカウンター保持装置は、エレベータのカウンターを所望の位置で保持するカウンター保持装置であって、前記カウンターの昇降移動をガイドするために設けられるガイドレールを補強する補強レール部材と、前記カウンターの下面端部から突出して設けられるガイドシューが通過可能な切り欠き部が設けられ、前記強構造レール部の所望の位置にカウンターの移動軌跡内に侵入して取り外し可能に固定されて前記カウンターを支え、かつ、前記切り欠き部と前記強構造レール部とで形成される空間にカウンター下面端部から突出したガイドシューを収容して前記カウンターの移動を規制して保持するカウンター保持部材と、を含むことを特徴する。
【００１４】
【発明の実施の形態】
以下、本発明の好適な実施の形態（以下、実施形態という）について、図面を参照し説明する。
【００１５】
実施形態１
図１は、実施形態１のエレベータのカウンター保持装置を模式的に示した図である。
【００１６】
図１に示すように、エレベータは、エレベータかご１０とカウンター１２、これらの昇降駆動を行う巻上機（図示せず）で構成されている。カウンター１２には、その下面端部から突出したガイドシュー１４が設けられている。また、カウンター１２の移動経路に沿ってカウンター１２の昇降をガイドするガイドレール１６が設けられており、前述したガイドシュー１４はこのガイドレール１６上を摺動する。
【００１７】
図１に示すように、本実施形態におけるカウンター保持装置は、ガイドレール１６の一部を構成し他の部分より強度が高い強構造レール部１８と、この強構造レール部１８の所望の位置にカウンター１２の移動軌跡内に侵入して固定される保持部材２０と、で構成されている。
【００１８】
保持部材２０は、強構造レール部１８に取り外し可能に構成されており、強構造レール部１８に固定される場合においては、カウンター１２の移動軌跡内に侵入して固定される。保持部材２０が強構造レール部１８に固定されると、カウンター１２は、保持部材２０によりその移動が規制され、保持部材２０に支えられて静止位置が保持される。これにより、カウンター１２は、ロープの吊り下げによらず、保持部材２０により静止位置を保持することができる。
【００１９】
図２は、実施形態１のカウンター保持装置を上方から見た図であり、図３は、実施形態１の拡大正面図である。
【００２０】
図２に示すように、保持部材２０には、切り欠き部２０ａが形成されている。保持部材２０が強構造レール部１８に固定されると、この切り欠き部２０ａと強構造レール部１８とでガイドシュー１４が通過可能な空間を形成する。これにより、保持部材２０がカウンター１２を保持する状態においては、図２に示すように、カウンター下面端部から突出したガイドシュー１４は切り欠き部２０ａに収容されて、カウンター１２を安定して保持することができる。
【００２１】
強構造レール部１８は、保持部材２０がカウンター１２を保持する状態において、保持部材２０にかかるカウンター１２やロープの荷重（以下カウンターの荷重）に耐えられるように設けられている。この場合において、その荷重に対して３倍以上の安全率を見込んだ強度に設計することが好適である。強構造レール部１８は、保持部材２０の固定位置とガイドレール１６自体の強度等に応じて形成することができる。このことから、ガイドレール１６自体の強度が高い場合には、強構造レール部１８を設けなくても、カウンター１２を十分保持することができる。
【００２２】
強構造レール部１８には、保持部材２０を固定するために、例えば、取り付け孔が空けられている。取り付け孔は、カウンターの荷重に対して３倍以上の安全率を見込んだ強度に耐えられる本数を空けることが好適である。図３に示す例では、３つの取り付け孔が空けられており、保持部材２０は、この取り付け孔にボルト２２等で固定されている。
【００２３】
なお、取り付け孔は、保持部材２０を所望の位置に固定可能なように複数の位置に空けることができ、これにより、カウンター１２の保持位置を調整することができる。
【００２４】
次に、本実施形態のカウンター保持装置の作用について説明する。
【００２５】
図１から図３を参照して、ロープの取り替え作業や巻上機関連の工事等で、カウンター１２を保持する場合について説明する。
【００２６】
カウンター１２の保持位置は、その後の作業の手法を考慮すると通常最下階の上方付近に保持することが好ましい。これに対応して、保持部材２０の固定位置となる下階側位置付近、例えば、図１に示すように最下階の上方付近にエレベータかご１０を移動する。作業者２６は、エレベータかご１０上から、作業内容に応じて強構造レール部１８の所望の位置に保持部材２０を固定する。このように、本実施形態の保持部材２０は、作業者１人でもエレベータかご１０上等から簡単に固定することができる。
【００２７】
保持部材２０が強構造レール部１８に固定されると、作業者２６等は、手巻き操作等でエレベータかご１０の位置を調整し、カウンター１２を保持部材２０の位置まで下降させる。カウンター１２が下降すると、ガイドシュー１４は切り欠き部２０ａに収容され、カウンター１２は保持部材２０によりその位置が保持される。
【００２８】
カウンター１２が保持部材２０により保持され、またエレベータかご１０を機械室に取り付けたチェーンブロック等で吊るされる（図示せず）と、作業者２６等はロープの取り替え作業や、巻上機関連の工事を行う。作業終了後、エレベータかご１０の固定を解除後、エレベータかご１０の位置を調整し、カウンター１２を保持部材２０から離す。作業者２６は、エレベータかご１０上から保持部材２０を強構造レール部１８から取り外す。
【００２９】
実施形態２
図４は、実施形態２のカウンター保持装置を上方から見た図であり、図５は、実施形態２のカウンター保持装置の拡大正面図である。上述した実施形態１の構成要素と同一又は相当部材には同一の符号を付して、その説明を省略する。
【００３０】
図４、図５に示すように、本実施形態のカウンター保持装置は、ガイドレール１６を補強する補強レール部材２４と、この補強レール部材２４の所望の位置にカウンター１２の移動軌跡内に侵入して固定される保持部材２０と、で構成されている。
【００３１】
保持部材２０は、補強レール部材２４に固定され、実施形態１と同様にカウンター１２の移動を規制してカウンター１２を保持する。
【００３２】
実施形態２のカウンター保持装置は、実施形態１の強構造レール部１８に対応する補強レール部材２４の構成が異なっている点が特徴である。
【００３３】
補強レール部材２４は、実施形態１の強構造レール部１８と同様にガイドレール１６を補強し、保持部材２０を固定する機能を有する。補強レール部材２４は、ガイドレール１６とは別の部材で構成された後、ガイドレール１６に溶接等で固定されている。従って、本実施形態におけるカウンター保持装置は、既に設置されているエレベーター等にも、容易に適用することができる。
【００３４】
補強レール部材２４は、ガイドレール１６の幅より大きな板状の部材で形成され、保持部材２０を固定するための取り付け孔は、図４に示すように、ガイドレール１６の外側に形成されている。これにより、ガイドレール１６自体に取り付け孔等を空ける必要がなく、保持部材２０は、ガイドレール１６を挟み込む形で補強レール部材２４に直接固定することができる。
【００３５】
なお、補強レール部材２４の大きさや設置する数は、必要に応じて適宜変更することができる。
【００３６】
本実施形態におけるカウンター保持装置のカウンター１２の保持作用は、実施形態１と同様なので、ここでの詳細な説明は省略する。
【００３７】
【発明の効果】
以上説明したように、本発明によれば、ガイドレールに固定される保持部材は角材等に比べて小さいので、保管スペースを減らすことができる。
【００３８】
また、本発明によれば、保持部材は所望の位置（高さ）で固定することができるので、高さに応じた保持部材を複数用意する必要がなく、保管スペースを他の保管スペースとして有効利用することができる。
【００３９】
さらに、本発明によれば、保持部材の固定作業は、エレベータかご上等から簡単にできるので、作業人数や作業時間を減らすことができ、作業効率を上げることができる。
【図面の簡単な説明】
【図１】  実施形態１のエレベータのカウンター保持装置を模式的に示した図である。
【図２】  実施形態１のカウンター保持装置を上方から見た図である。
【図３】  実施形態１のカウンター保持装置の拡大正面図である。
【図４】  実施形態２のカウンター保持装置を上方から見た図である。
【図５】  実施形態２のカウンター保持装置の拡大正面図である。
【図６】  エレベータのカウンターの従来の保持作業の様子を示す図である。
【符号の説明】
１０  エレベータかご、１２  カウンター、１４  ガイドシュー、１６  ガイドレール、１８  強構造レール部、２０  保持部材、２０ａ  切り欠き部、２４補強レール部材。
【図１】
0004202615.tif 000002
【図２】
0004202615.tif 000003
【図３】
0004202615.tif 000004
【図４】
0004202615.tif 000005
【図５】
0004202615.tif 000006
【図６】
0004202615.tif 000007